(57)【要約】【課題】複合機のような複数の動作モードを有する情報処理装置において、その操作性の向上を図る。【解決手段】  本発明に係る複合機（１０）は、コピーモードやイメージスキャナモードなどの複数の動作モードを有する。この複合機（１０）は、任意の動作モードについての動作条件の設定内容をジョブプログラムとして登録しておき、これを必要なときに呼び出して、当該ジョブプログラムの登録時と同じ状態を再現することができる、ジョブプログラム機能を有する。すなわち、このジョブプログラム機能によれば、登録時の動作モード、設定内容および操作画面が再現される。このことは、複合機の操作性の向上に大きく貢献する。【選択図】  図１８
2020068399.tif 000002
【特許請求の範囲】
【請求項１】
複数の動作モードを有する情報処理装置であって、
ユーザによる設定操作に従って任意の前記動作モードについての動作条件を設定する設定手段、
表示面を有する表示手段、
前記設定手段による前記動作条件についての設定内容を表す設定情報を前記表示面に表示する第１表示制御手段、
前記ユーザによる登録操作に応答して前記設定内容を記憶する記憶手段、
前記ユーザによる呼び出し操作に応答して当該呼び出し操作に従う前記設定内容を前記記憶手段から呼び出す呼び出し手段、および
前記呼び出し手段により呼び出された前記設定内容に従う前記動作条件と当該動作条件に対応する前記動作モードとを設定するとともに当該設定内容を表す前記設定情報を前記表示面に表示する設定制御手段を備える、情報処理装置。
【請求項２】
前記呼び出し手段は、現在設定されている前記動作モードとは異なる前記動作モードについての前記設定内容を呼び出すことが可能である、請求項１に記載の情報処理装置。
【請求項３】
前記記憶手段に記憶された前記設定内容の一覧である一覧情報を前記表示面に表示する第２表示制御手段をさらに備える、請求項１または２に記載の情報処理装置。
【請求項４】
前記設定操作と前記登録操作と前記呼び出し操作とを受け付ける操作受付手段をさらに備え、
前記操作受付手段は、前記表示面に重ねて設けられるタッチパネルを備える、請求項１から３のいずれかに記載の情報処理装置。
【請求項５】
複合機である、請求項１から４のいずれかに記載の情報処理装置。
【請求項６】
複数の動作モードを有する情報処理装置における設定制御プログラムであって、
前記情報処理装置のコンピュータに、
ユーザによる設定操作に従って任意の前記動作モードについての動作条件を設定する設定手順、
前記設定手順による前記動作条件についての設定内容を表す設定情報を前記情報処理装置が備える表示手段の表示面に表示する第１表示制御手順、
前記ユーザによる登録操作に応答して前記設定内容を前記情報処理装置が備える記憶手段に記憶する記憶手順、
前記ユーザによる呼び出し操作に応答して当該呼び出し操作に従う前記設定内容を前記記憶手段から呼び出す呼び出し手順、および
前記呼び出し手順により呼び出された前記設定内容に従う前記動作条件と当該動作条件に対応する前記動作モードとを設定するとともに当該設定内容を表す前記設定情報を前記表示面に表示する設定制御手順を実行させる、設定制御プログラム。
【請求項７】
複数の動作モードを有する情報処理装置における設定制御方法であって、
ユーザによる設定操作に従って任意の前記動作モードについての動作条件を設定する設定ステップ、
前記設定ステップによる前記動作条件についての設定内容を表す設定情報を前記情報処理装置が備える表示手段の表示面に表示する第１表示制御ステップ、
前記ユーザによる登録操作に応答して前記設定内容を前記情報処理装置が備える記憶手段に記憶する記憶ステップ、
前記ユーザによる呼び出し操作に応答して当該呼び出し操作に従う前記設定内容を前記記憶手段から呼び出す呼び出しステップ、および
前記呼び出しステップにより呼び出された前記設定内容に従う前記動作条件と当該動作条件に対応する前記動作モードとを設定するととともに当該設定内容を表す前記設定情報を前記表示面に表示する設定制御ステップを含む、設定制御方法。
【発明の詳細な説明】
【技術分野】
【０００１】
本発明は、情報処理装置、情報処理装置における設定制御プログラムおよび設定制御方法に関し、特に、複数の動作モードを有する、情報処理装置、情報処理装置における設定制御プログラムおよび設定制御方法に関する。
【背景技術】
【０００２】
複数の動作モードを有する情報処理装置として、たとえば複合機（Multifunction Peripheral：ＭＦＰ）がある。すなわち、複合機は、コピー機能、プリンタ機能、イメージスキャナ機能、ファクシミリ機能などの複数の機能を備え、これら複数の機能に応じた複数の動作モードを有する。このような複合機において、任意の動作モードで設定された内容（条件）を登録しておき、これを必要なときに呼び出すことのできる構成が、設けられる場合がある。その一例として、特許文献１には、複合機のコピーモードにおいて、当該コピーモードの基本画面で設定された内容を登録して、この登録された設定内容を読み出すと、当該設定内容が反映された基本画面が表示される技術が、開示されている。
【先行技術文献】
【特許文献】
【０００３】
【特許文献１】特開２００９−３７０１７号公報
【発明の概要】
【発明が解決しようとする課題】
【０００４】
前述の如く特許文献１には、複合機のコピーモードという単一の動作モードにおいて、その基本画面で設定された内容を登録して、この登録された設定内容を読み出すと、当該設定内容が反映された基本画面が表示される技術が、開示されている。しかしながら、当該特許文献１には、たとえば或る動作モードで設定された内容を、別の動作モードで呼び出す場合については、何ら開示されていない。このような場合にどのように対処するのかは、複合機のような複数の動作モードを備える情報処理装置にとって、とりわけその操作性の向上の観点から、極めて重要である。
【０００５】
そこで、本発明は、複数の動作モードを有する情報処理装置において、その操作性の向上を図ることができる、新規な技術を提供することを、目的とする。
【課題を解決するための手段】
【０００６】
この目的を達成するために、本発明は、情報処理装置に係る第１の発明、情報処理装置における画面表示制御プログラムに係る第２の発明、および情報処理装置における画面表示制御方法に係る第３の発明を含む。
【０００７】
このうちの情報処理装置に係る第１の発明は、当該情報処理装置が、複数の動作モードを有することを、前提とする。この前提の下、本第１の発明は、設定手段、表示手段、第１表示制御手段、記憶手段、呼び出し手段および設定制御手段を備える。設定手段は、ユーザによる設定操作に従って、任意の動作モードについての動作条件を設定する。表示手段は、表示面を有する。第１表示制御手段は、設定手段による動作条件についての設定内容を表す設定情報を表示手段の表示面に表示する。記憶手段は、ユーザによる登録操作に応答して、設定手段による設定内容を記憶する。呼び出し手段は、ユーザによる呼び出し操作に応答して、当該呼び出し操作に従う設定内容を記憶手段から呼び出す。そして、設定制御手段は、呼び出し手段により呼び出された設定内容に従う動作条件および当該動作条件に対応する動作モードを設定するとともに、当該設定内容を表す設定情報を表示手段の表示面に表示する。
【０００８】
なお、本第１発明において、呼び出し手段は、現在設定されている動作モードとは異なる動作モードについての設定内容を呼び出すことが可能である。言い換えれば、呼び出し手段は、或る動作モードについての設定内容を、別の動作モードで呼び出すことも可能である。
【０００９】
また、本第１発明においては、第２表示制御手段が、さらに備えられてもよい。この第２表示制御手段は、記憶手段に記憶された設定内容の一覧である一覧情報を表示手段の表示面に表示する。
【００１０】
さらに、本第１発明においては、操作受付手段が、備えられてもよい。この操作受付手段は、前述の設定操作と登録操作と呼び出し操作とを受け付ける。このような操作受付手段は、表示手段の表示面に重ねて設けられるタッチパネルを備えるのが、望ましい。
【００１１】
本第１の発明に係る情報処理装置としては、たとえば複合機がある。
【００１２】
本発明のうちの第２の発明に係る情報処理装置における設定制御プログラムは、当該情報処理装置が、複数の動作モードを有することを、前提とする。この前提の下、本第２の発明は、情報処理装置のコンピュータに、設定手順、第１表示制御手順、記憶手順、呼び出す呼び出し手順および設定制御手順を実行させる。設定手順では、ユーザによる設定操作に従って、任意の動作モードについての動作条件を設定する。第１表示制御手順では、設定手順による動作条件についての設定内容を表す設定情報を、情報処理装置が備える表示手段の表示面に表示する。記憶手順では、ユーザによる登録操作に応答して、設定手順による設定内容を、情報処理装置が備える記憶手段に記憶する。呼び出し手順では、ユーザによる呼び出し操作に応答して、当該呼び出し操作に従う設定内容を記憶手段から呼び出す。そして、設定制御手順では、呼び出し手順により呼び出された設定内容に従う動作条件および当該動作条件に対応する動作モードを設定するととともに、当該設定内容を表す設定情報を表示手段の表示面に表示する。
【００１３】
本発明のうちの第３の発明に係る情報処理装置における設定制御方法は、当該情報処理装置が、複数の動作モードを有することを、前提とする。この前提の下、本第３の発明は、設定ステップ、第１表示制御ステップ、記憶ステップ、呼び出しステップおよび設定制御ステップを含む。設定ステップでは、ユーザによる設定操作に従って、任意の動作モードについての動作条件を設定する。第１表示制御ステップでは、設定ステップによる動作条件についての設定内容を表す設定情報を、情報処理装置が備える表示手段の表示面に表示する。記憶ステップでは、ユーザによる登録操作に応答して、設定ステップによる設定内容を、情報処理装置が備える記憶手段に記憶する。呼び出しステップでは、ユーザによる呼び出し操作に応答して、当該呼び出し操作に従う設定内容を記憶手段から呼び出す。そして、設定制御ステップでは、呼び出しステップにより呼び出された設定内容に従う動作条件および当該動作条件に対応する動作モードを設定するととともに、当該設定内容を表す設定情報を表示手段の表示面に表示する。
【発明の効果】
【００１４】
このような本発明によれば、複合機などの複数の動作モードを有する情報処理装置において、その操作性の向上を図ることができる。
【図面の簡単な説明】
【００１５】
【図１】図１は、本発明の一実施例に係る複合機の電気的な構成を示すブロック図である。
【図２】図２は、本発明の一実施例における電子メール送信画面の初期状態の一例を示す図である。
【図３】図３は、本発明の一実施例におけるファクス送信画面の初期状態の一例を示す図である。
【図４】図４は、電子メール送信画面の別の状態の一例を示す図である。
【図５】図５は、電子メール送信モードにおけるプログラム登録画面の一例を示す図である。
【図６】図６は、電子メール送信モードにおけるプログラム名設定画面の一例を示す図である。
【図７】図７は、本発明の一実施例におけるジョブプログラムテーブルの構成を概念的に示す図である。
【図８】図８は、ファクス送信モードにおけるプログラム呼び出し画面の一例を示す図である。
【図９】図９は、本発明の一実施例における共有フォルダ送信画面の初期状態を示す図である。
【図１０】図１０は、電子メール送信モードにおける解像度設定画面の初期状態の一例を示す図である。
【図１１】図１１は、共有フォルダ送信モードにおける解像度設定画面の初期状態の一例を示す図である。
【図１２】図１２は、電子メール送信モードにおける解像度設定画面の別の状態の一例を示す図である。
【図１３】図１３は、電子メール送信画面の別の状態の一例を示す図である。
【図１４】図１４は、電子メール送信モードにおけるプログラム登録画面の別の状態の一例を示す図である。
【図１５】図１５は、電子メール送信モードにおけるプログラム名設定画面の別の状態の一例を示す図である。
【図１６】図１６は、共有フォルダ送信モードにおけるプログラム呼び出し画面の一例を示す図である。
【図１７】図１７は、本発明の一実施例における主記憶部のＲＡＭ内の構成を概念的に示すメモリマップである。
【図１８】図１８は、本発明の一実施例におけるＣＰＵが実行する設定呼び出しタスクの流れを示すフロー図である。
【発明を実施するための形態】
【００１６】
本発明の一実施例について、図１に示される複合機１０を例に挙げて説明する。
【００１７】
本実施例に係る複合機１０は、コピー機能、プリンタ機能、イメージスキャナ機能、ファクシミリ機能などの複数の機能を備える。このため、複合機１０は、画像読取部１２と、画像形成部１４と、制御部１６と、補助記憶部１８と、通信部２０と、表示部２２と、操作部２４と、を備える。これらは、互いに共通のバス２６を介して接続される。
【００１８】
画像読取部１２は、画像読取手段の一例である。すなわち、画像読取部１２は、不図示の原稿の画像を読み取って、当該原稿の画像に応じた２次元の画像データを出力する、画像読取処理を担う。このような画像読取部１２は、原稿が載置される不図示の原稿載置台を備える。併せて、画像読取部１２は、不図示の光源、複数のミラー、結像レンズ、ラインセンサなどを含む画像読取ユニットを備える。さらに、画像読取部１２は、当該画像読取ユニットを移動させる不図示の駆動機構などを備える。また、画像読取部１２は、不図示の自動原稿送り装置（Auto Document Feeder：ＡＤＦ）を備えることがある。この画像読取部１２は、とりわけコピー機能、イメージスキャナ機能およびファクシミリ機能（ファクス送信機能）の実現に供される。
【００１９】
画像形成部１４は、画像形成手段の一例である。すなわち、画像形成部１４は、不図示の用紙などのシート状の画像記録媒体に公知の電子写真方式により画像を形成する、画像形成処理を担う。このような画像形成部１４は、不図示の感光体ドラム、帯電装置、露光装置、現像装置、転写装置、定着装置などを備える。この画像形成部１４による画像形成処理により画像が形成された後の用紙、言わば印刷物は、不図示の排紙トレイに排出される。なお、画像形成部１４は、白黒の画像形成処理のみならず、カラーの画像形成処理をも実行可能であってもよい。また、画像形成部１４は、電子写真方式に限らず、たとえばインクジェット方式を採用してもよい。この画像形成部１４は、とりわけコピー機能、プリンタ機能およびファクシミリ機能（ファクス受信機能）の実現に供される。
【００２０】
制御部１６は、複合機１０の全体的な制御を司る、制御手段の一例である。このため、制御部１６は、制御実行手段としてのＣＰＵ（Central Processing Unit）１６ａを有する。併せて、制御部１６は、ＣＰＵ１６ａが直接的にアクセス可能な主記憶手段としての主記憶部１６ｂを有する。主記憶部１６ｂは、不図示のＲＯＭ（Read Only Memory）およびＲＡＭ（Random Access Memory）を含むとともに、フラッシュメモリなどの書き換え可能な不揮発性メモリを含む。このうちのＲＯＭには、ＣＰＵ１６ａの動作を制御するための制御プログラム（ファームウェア）が記憶される。ＲＡＭは、ＣＰＵ１６ａが制御プログラムに基づく処理を実行する際の作業領域およびバッファ領域を構成する。そして、書き換え可能な不揮発性メモリには、後述するジョブプログラムテーブル５００などの書き換えられる可能性のあるデータが記憶される。
【００２１】
補助記憶部１８は、補助記憶手段の一例であり、たとえば不図示のハードディスクを含む。また、補助記憶部１８は、主記憶部１６ｂにおけるのとは別の書き換え可能な不揮発性メモリを含む場合がある。この補助記憶部１８には、画像読取部１２から出力される画像データや、次に説明する通信部２０を介して受信されたデータなどの各種のデータが、必要に応じて記憶される。
【００２２】
通信部２０は、不図示の公衆電話回線やネットワークなどの通信回線を介しての双方向の通信処理を担う、通信手段の一例である。この通信部２０と通信回線との接続は、有線であってもよいし、無線であってもよい。この通信部２０は、とりわけプリンタ機能、ファクシミリ機能およびイメージスキャナ機能（後述する電子メール送信機能など）の実現に供される。
【００２３】
表示部２２は、表示手段の一例としてのディスプレイ２２ａを有する。このディスプレイ２２ａは、たとえば液晶ディスプレイ（ＬＣＤ）であるが、これに限らず、有機エレクトロルミネッセンス（ＥＬ）ディスプレイなどであってもよい。また、表示部２２は、ディスプレイ２２ａの他に、不図示の発光ダイオード（ＬＥＤ）などの適宜の発光素子を有する。
【００２４】
操作部２４は、ユーザ操作を受け付ける操作受付手段の一例であり、とりわけシート状のタッチパネル２４ａを有する。このタッチパネル２４ａは、ディスプレイ２２ａの表示面上に重ねて設けられる。このタッチパネル２４ａは、たとえば静電容量方式のものであるが、これに限らず、電磁誘導方式、抵抗膜方式、赤外線方式などの他の方式のものであってもよい。また、操作部２４は、タッチパネル２４ａの他に、不図示の押しボタンスイッチなどの適宜のハードウェアスイッチを有する。
【００２５】
さて、本実施例に係る複合機１０は、前述の如く複数の機能を備えるが、これら複数の機能に応じた複数の動作モードを有する。たとえば、コピー機能に応じて、コピーモードという動作モードが設けられる。そして、プリンタ機能に応じて、プリンタモードが設けられる。さらに、イメージスキャナ機能に応じて、イメージスキャナモードが設けられる。なお、イメージスキャナ機能の拡張的な機能として、たとえば電子メール送信機能がある。この電子メール送信機能は、イメージスキャナ機能（画像読取部１２による画像読取処理）により得られた画像データを電子メールで送信する機能である。この電子メール送信機能に応じて、電子メール送信モードが設けられる。また、イメージスキャナ機能の別の拡張的機能として、たとえば共有フォルダ送信機能がある。この共有フォルダ送信機能は、イメージスキャナ機能により得られた画像データを予め指定された共有フォルダへ送信（保存）する機能である。この共有フォルダ送信機能に応じて、共有フォルダ送信モードが設けられる。ファクシミリ機能については、ファクス送信機能とファクス受信機能とがあるが、このうちのファクス送信機能に応じて、ファクス送信モードが設けられ、ファクス受信機能に応じて、ファクス受信モードが設けられる。
【００２６】
加えて、本実施例に係る複合機１０は、任意の動作モードについての動作条件の設定内容を登録しておき、これを必要なときに呼び出すことができる、ジョブプログラム機能を備える。このジョブプログラム機能においては、登録された設定内容を、その登録時と同じ動作モードで呼び出すこともできるし、当該登録時とは別の動作モードで呼び出すこともできる。いずれにおいても、呼び出された設定内容に従う動作条件と、当該動作条件に対応する動作モードとが、設定される。併せて、呼び出された設定内容に従う操作画面が、ディスプレイ２２ａに表示される。すなわち、登録時の状態が再現される。
【００２７】
具体例として、電子メール送信モードについての動作条件の或る設定内容が登録され、この設定内容が当該電子メール送信モードとは異なるファクス送信モードで呼び出される場合を、説明する。
【００２８】
まず、電子メール送信モードにおいては、その操作画面として、図２に示されるような電子メール送信画面１００が、ディスプレイ２２ａに表示される。なお、図２に示される電子メール送信画面１００は、当該電子メール送信画面１００の初期状態を示す。
【００２９】
この電子メール送信画面１００は、帯状表示領域１１０と、主表示領域１２０と、を含む。このうちの帯状表示領域１１０は、電子メール送信画面１００の上部を占める横長の帯状の領域である。この帯状表示領域１１０の左端部分には、電子メール送信画面１００のタイトルマークとしての適当なモードマーク１１２が配される。併せて、帯状表示領域１１０の右端部分には、現在のジョブの状況を確認するためのジョブ状況確認ボタン１１４が配される。
【００３０】
一方、主表示領域１２０は、電子メール送信画面１００のうちの帯状表示領域１１０以外の領域であり、つまり当該電子メール送信画面１００の大部分を占める矩形状の領域である。この主表示領域１２０の左上部分には、アドレス帳を開くためのアドレス帳ボタン１２２が配される。なお、アドレス帳については、一般的であるので、その詳細な説明は省略する。そして、アドレス帳ボタン１２２の右横方には、電子メールの送信先（宛先）を入力するためのフィールド１２４が配される。さらに、これらアドレス帳ボタン１２２および送信先入力用のフィールド１２４の下方には、電子メールの件名を入力するためのフィールド１２６と、当該電子メールにより送信されるファイルの名称（ファイル名）を入力するためのフィールド１２８とが、縦並びに配される。
【００３１】
加えて、ファイル名入力用のフィールド１２８の下方であって、主表示領域１２０の左寄りの部分に、複数の設定ボタン１３０、１３０、…が縦並びに配される。これらの設定ボタン１３０、１３０、…は、イメージスキャナモードにおける各パラメータを設定するための操作子である。これらの設定ボタン１３０、１３０、…の１つとして、イメージスキャナモードによる原稿の読取解像度を設定するための、厳密にはその操作を進めるための、解像度設定ボタン１３０ａが設けられる。また、この解像度設定ボタン１３０ａには、今現在の読取解像度を表す文字列、ここでは「２００×２００ｄｐｉ」という文字列が、付される。そして、各設定ボタン１３０、１３０、…の並びの下方であって、主表示領域１２０の左下部分には、当該各設定ボタン１３０、１３０、…以外の設定ボタンの一覧を表示するための他の機能表示ボタン１３２が配される。さらに、主表示領域１２０の中央の下部に、イメージスキャナモードによる原稿の読取サイズ（読込サイズ）などを表示するための表示領域１３４が配される。
【００３２】
そして、主表示領域１２０の右上部分には、アクションパネル１３６が配される。このアクションパネル１３６内には、複数のボタン１３８、１３８、…が縦並びに配される。これらのボタン１３８、１３８、…は、電子メール送信モードにより使用可能な詳細機能に対応する操作子である。これらのボタン１３８、１３８、…の１つとして、登録済の設定内容、言わばジョブプログラム、を呼び出すためのプログラム呼び出しボタン１３８ａが設けられる。併せて、保存先のリンクを送信する、という機能に対応する保存先リンク送信ボタン１３８ｂが設けられる。保存先のリンクを送信する機能とは、電子メール送信モードにおいて、イメージスキャナ機能により得られた画像データを補助記憶部１８などの適当な保存先に保存しておき、（当該画像データそのものではなく）その保存先に関する情報を電子メールで送信する機能である。また、保存先リンク送信ボタン１３８ｂには、チェックボックス１３８ｃが付属される。後述するように、保存先のリンクを送信する機能が有効化されると、このチェックボックス１３８ｃにチェックマークが入力される。言い換えれば、チェックボックス１３８ｃにチェックマークが入力されているかどうかにより、保存先のリンクを送信する機能が有効化されているかどうかが表現される。そして、アクションパネル１３６のたとえば左上部分には、当該アクションパネル１３６を開閉するためのタブ１４０が付される。
【００３３】
さらに、主表示領域１２０の右下部分に、スタートボタン１４２が配される。このスタートボタン１４２は、電子メール送信モードによる電子メールの送信を開始するための操作子である。すなわち、電子メール送信モードによる電子メールの送信に必要な事項の設定が行われた上で、このスタートボタン１４２が操作（押下）されることにより、当該電子メール送信モードによる電子メールの送信が開始される。なお、主表示領域１２０および前述の帯状表示領域１１０を含む電子メール送信画面１００には、これ以外にも種々のボタン（操作キー）などの要素が配されるが、本発明の本旨に直接的に関係しない要素については、それらの説明を省略する。
【００３４】
これに対して、ファクス送信モードにおいては、その操作画面として、図３に示されるようなファクス送信画面２００が、ディスプレイ２２ａに表示される。なお、図３に示されるファクス送信画面２００は、当該ファクス送信画面２００の初期状態を示す。
【００３５】
このファクス送信画面２００もまた、前述の電子メール送信画面１００と同様に、帯状表示領域２１０と、主表示領域２２０と、を含む。このうちの帯状表示領域２１０の左端部分には、ファクス送信画面２００のタイトルマークとしての適当なモードマーク２１２が配される。併せて、帯状表示領域２１０の右端部分には、電子メール送信画面１００（の帯状表示領域１１０）におけるのと同様のジョブ状況確認ボタン２１４が配される。
【００３６】
一方、主表示領域２２０の左上部分には、電子メール送信画面１００（の主表示領域１２０）におけるのと同様のアドレス帳ボタン２２２が配される。そして、アドレス帳ボタン２２２の右横方には、ファクスの送信先を入力するためのフィールド２２４が配される。さらに、アドレス帳ボタン２２２および送信先入力用のフィールド２２４の下方であって、主表示領域２２０の左寄りの部分に、電子メール送信画面１００におけるのと同様の複数の設定ボタン２２６、２２６、…が縦並びに配される。また、これらの設定ボタン２２６、２２６、…の並びの下方であって、主表示領域２２０の左下部分には、電子メール送信画面１００におけるのと同様の他の機能表示ボタン２２８が配される。
【００３７】
加えて、主表示領域１２０の中央部分に、テンキー２３０が配され、つまり当該テンキー２３０を構成する複数のボタン２３２、２３２、…が配される。このテンキー２３０は、送信先入力用のフィールド２２４にファクスの送信先のファクス番号を直接的に入力するのに用いられる。そして、テンキー２３０の下方に、電子メール送信画面１００におけるのと同様の表示領域２３４が配される。
【００３８】
さらに、主表示領域２２０の右上部分に、アクションパネル２３６が配される。このアクションパネル２３６内には、複数のボタン２３８、２３８、…が縦並びに配される。これらのボタン２３８、２３８、…は、ファクス送信モードにより使用可能な詳細機能に対応する操作子である。これらのボタン２３８、２３８、…の１つとして、電子メール送信画面１００におけるのと同様のプログラム呼び出しボタン２３８ａが設けられる。その一方で、ファクス送信モードにおいては、電子メール送信モードとは異なり、前述の保存先のリンクを送信する機能はないため、当該保存先のリンクを送信する機能に対応する保存先リンク送信ボタンもない。アクションパネル２３６の左上部分には、当該アクションパネル２３６を開閉するためのタブ２４０が付される。
【００３９】
そして、主表示領域２２０の右下部分に、スタートボタン２４２が配される。このスタートボタン２４２は、ファクス送信モードによるファクスの送信を開始するための操作子である。すなわち、ファクス送信モードによるファクスの送信に必要な事項の設定が行われた上で、このスタートボタン２４２が操作されることにより、当該ファクス送信モードによるファクスの送信が開始される。なお、主表示領域２２０および前述の帯状表示領域２１０を含むファクス送信画面２００には、これ以外にも種々のボタンなどの要素が配されるが、本発明の本旨に直接的に関係しない要素については、それらの説明を省略する。
【００４０】
ここでたとえば、図２に示される電子メール送信画面１００において、アクションパネル１３６内の保存先リンク送信ボタン１３８ｂが操作されることにより、前述の保存先のリンクを送信する機能が有効化される、とする。すると、図４に示されるように、保存先リンク送信ボタン１３８ｂに付属されたチェックボックス１３８ｃにチェックマークが入力され、これにより、保存先のリンクを送信する機能が有効化されたことが表現される。併せて、アクションパネル１３６内の前述のプログラム呼び出しボタン１３８ａに代わって、プログラム登録ボタン１３８ｄが配される。このプログラム登録ボタン１３８ｄは、電子メール送信画面１００による電子メール送信モードの動作条件についての設定内容を登録するための、厳密にはその操作を進めるための、操作子である。なお、保存先リンク送信ボタン１３８ｂ以外の操作によって、電子メール送信モードについての動作条件が変更された場合も同様に、アクションパネル１３６内のプログラム呼び出しボタン１３８ａに代わって、プログラム登録ボタン１３８ｄが配される。
【００４１】
この図４に示される電子メール送信画面１００において、当該電子メール送信画面１００による設定内容を登録するべく、アクションパネル１３６内のプログラム登録ボタン１３８ｄが操作される、とする。すると、図５に示されるように、電子メール送信画面１００の一部を覆うように、当該電子メール送信画面１００よりも小さい言わば小画面としてのプログラム登録画面３００が表示される。
【００４２】
このプログラム登録画面３００は、電子メール送信モードを含む全ての動作モードに共通の画面である。このプログラム登録画面３００には、複数のプログラム登録ボタン３０２、３０２、…が配される。それぞれのプログラム登録ボタン３０２は、任意の動作モードの動作条件についての設定内容を登録するための、厳密にはその操作をさらに進めるための、操作子である。なお、図５に示されるプログラム登録画面３００においては、１０個のプログラム登録ボタン３０２、３０２、…が配されているが、当該プログラム登録ボタン３０２は、たとえば全部で４８個用意されている。すなわち、本実施例に係る複合機１０では、最大で４８個のジョブプログラム（設定内容）を登録することができる。各ジョブプログラムには、「１」〜「４８」の個別のプログラム番号が付されている。また、それぞれのプログラム登録ボタン３０２には、任意のプログラム名を表す文字列が付されており、ジョブプログラムが登録される前の初期状態においては、当該プログラム名として、対応するプログラム番号を表す文字列が付される。
【００４３】
各プログラム登録ボタン３０２、３０２、…は、たとえば横方向に２列の状態で縦並びに配される。そして、各プログラム登録ボタン３０２、３０２、…の並びの右横方には、スクロールバー３０４が配される。このスクロールバー３０４（のノブまたはアロー）の操作により、各プログラム登録ボタン３０２、３０２、…の並びをスクロールさせることができ、つまり全ての当該プログラム登録ボタン３０２、３０２、…を表示させることができる。加えて、プログラム登録画面３００における右上部分には、ＯＫボタン３０６が配される。このＯＫボタン３０６が操作されると、プログラム登録画面３００の表示が消えて、ディスプレイ２２ａの表示状態が、図４に示される状態に戻る。なお、プログラム登録画面３００が表示された状態にあるときには、アクションパネル１３６内の各ボタン１３８、１３８、…は、何らの詳細機能にも対応しない状態となり、たとえば何らの文字列が付されない状態となる。
【００４４】
このプログラム登録画面３００において、任意のプログラム登録ボタン３０２が操作される、たとえば「１」番というプログラム番号に対応するプログラム登録ボタン３０２ａが操作される、とする。すると、プログラム登録画面３００に代わって、図６に示されるようなプログラム名設定画面４００が、表示される。一方、ＯＫボタン３０６が操作されると、前述の如くプログラム登録画面３００の表示が消えて、ディスプレイ２２ａの表示状態が、図４に示される状態に戻る。
【００４５】
図６に示されるように、プログラム名設定画面４００もまた、プログラム登録画面３００と同様、電子メール送信画面１００よりも小さい小画面であり、当該電子メール送信画面１００の一部を覆うように表示される。このプログラム名設定画面４００のたとえば右上部分には、キャンセルボタン４０２およびＯＫボタン４０４が横並びに配される。そして、これらキャンセルボタン４０２およびＯＫボタン４０４の下方には、任意のプログラム名を入力するためのフィールド４０６が配される。なお、図６においては、プログラム名入力用のフィールド４０６に、「保存先のリンクを送信」という文字列が入力されているが、初期状態においては、対応するプログラム番号を表す文字列（ここでは「０１」という文字列）が入力される。
【００４６】
さらに、プログラム名入力用のフィールド４０６の下方に、ソフトウェアキーボード４０８が配され、つまり当該ソフトウェアキーボード４０８を構成する複数のボタン４１０、４１０、…が配される。このソフトウェアキーボード４０８の操作により、前述のプログラム名入力用のフィールド４０６に任意のプログラム名が入力される。なお、プログラム名設定画面４００が表示された状態にあるときにも、前述のプログラム登録画面３００が表示された状態にあるときと同様、アクションパネル１３６内の各ボタン１３８、１３８、…は、何らの詳細機能にも対応しない状態となり、たとえば何らの文字列が付されない状態となる。加えて、図６からは分からないが、プログラム名設定画面４００が表示された状態にあるときには、アクションパネル１３６を含む主表示領域１２０が、プログラム名設定画面４００と比して暗めに表示される。
【００４７】
このプログラム名設定画面４００において、前述の如くプログラム名入力用のフィールド４０６に「保存先のリンクを送信」という文字列が入力された上で、たとえばＯＫボタン４０４が操作される、とする。すると、プログラム番号が「０１」のジョブプログラムとして、図４に示される設定内容が、対応する動作モード（電子メール送信モード）と関連付けられた状態で、登録される。具体的には、図７に示されるようなジョブプログラムテーブル５００に、プログラム番号、プログラム名、動作モードおよび設定内容が、互いに関連付けられた状態で記録される。このジョブプログラムテーブル５００は、たとえば主記憶部１６ｂの前述の書き換え可能な不揮発性メモリに格納される。そして、プログラム名設定画面４００に代わって、ジョブプログラムが登録されたことを表す不図示のメッセージ画面という小画面が一定期間（たとえば数秒間）にわたって表示された後、ディスプレイ２２ａの表示状態が、図４に示される状態に戻る。なお、このとき、登録されたジョブプログラムを不図示のお気に入りフォルダまたはホーム画面にショートカットとして設定することができるように構成されてもよい。一方、キャンセルボタン４０２が操作されると、ジョブプログラムの登録が行われることなく、プログラム名設定画面４００の表示が消えて、ディスプレイ２２ａの表示状態が、図４に示される状態に戻る。
【００４８】
このようにして電子メール送信モードについての「保存先のリンクを送信」というプログラム名のジョブプログラムが登録された上で、図３に示されるファクス送信画面２００において、アクションパネル２３６内のプログラム呼び出しボタン２３８ａが操作される、とする。すると、図８に示されるように、ファクス送信画面２００の一部を覆うように、当該ファクス送信画面２００よりも小さい小画面としてのプログラム呼び出し画面６００が表示される。
【００４９】
このプログラム呼び出し画面６００は、前述（図５）のプログラム登録画面３００と同様、ファクス送信モードを含む全ての動作モードに共通の画面である。このプログラム呼び出し画面６００には、１つのプリセットプログラム呼び出しボタン６０２と、複数のプログラム呼び出しボタン６０４、６０４、…とが、配される。各プログラム呼び出しボタン６０４、６０４、…は、登録済のジョブプログラムを呼び出すための操作子であり、それぞれの並びを含め、プログラム登録画面３００における各プログラム登録ボタン３０２、３０２、…に対応する。すなわち、プログラム呼び出しボタン６０４は、全部で４８個用意されている。そして、各プログラム呼び出しボタン６０４、６０４、…の並びの右横方に配されたスクロールバー６０６の操作により、当該各プログラム呼び出しボタン６０４、６０４、…の並びをスクロールさせることができる。また、プログラム番号が「１」番のジョブプログラムに対応するプログラム呼び出しボタン６０４ａには、当該ジョブプログラムのプログラム名として設定された前述の「保存先のリンクを送信」という文字列が付される。
【００５０】
プリセットプログラム呼び出しボタン６０２は、各プログラム呼び出しボタン６０４、６０４、…の並びの上方に配され、詳しくはプログラム番号が「１」番のジョブプログラムに対応するプログラム呼び出しボタン６０４ａの上方に配される。このプリセットプログラム呼び出しボタン６０２は、それぞれの動作モードについての動作条件の初期値（デフォルト値）を呼び出すための操作子である。
【００５１】
さらに、プログラム呼び出し画面６００における右上部分に、ＯＫボタン６０８が配される。このＯＫボタン６０８が操作されると、プログラム呼び出し画面６００の表示が消えて、ディスプレイ２２ａの表示状態が、図３に示される状態に戻る。なお、プログラム呼び出し画面６００が表示された状態にあるときは、アクションパネル２３６内の各ボタン２３８、２３８、…は、登録済のジョブプログラムを編集するための、厳密にはその操作を進めるための、操作子となる。
【００５２】
このプログラム呼び出し画面６００において、登録済のジョブプログラムに対応するプログラム呼び出しボタン６０４、たとえば前述の「保存先のリンクを送信」というプログラム名が付されたジョブプログラムに対応するプログラム呼び出しボタン６０４ａが、操作される、とする。すると、このプログラム呼び出し画面６００を含むファクス送信画面２００に代わって、図４に示される電子メール送信画面１００が、ディスプレイ２２ａに表示される。併せて、この図４に示される電子メール送信画面１００に従う動作モード、つまり電子メール送信モードが、設定されるとともに、当該電子メール送信画面１００に従う動作条件が設定される。すなわち、「保存先のリンクを送信」というプログラム名が付されたジョブプログラムの登録時と同じ状態が再現される。
【００５３】
これにより、ユーザは、「保存先のリンクを送信」というプログラム名が付されたジョブプログラムの内容を直観的に確認することができる。併せて、ユーザは、当該「保存先のリンクを送信」というプログラム名が付されたジョブプログラムに対応する動作モードおよび動作条件による複合機１０の使用（処理）を即座に行うことができる。
【００５４】
なお、図８に示されるプログラム呼び出し画面６００において、プリセットプログラム呼び出しボタン６０２が操作されると、当該プリセットプログラム呼び出しボタン６０２に対応するファクス送信モードについての動作条件のデフォルト値が呼び出される。そして、このデフォルト値が設定されるとともに、当該デフォルト値に応じた設定内容のファクス送信画面２００が表示され、たとえば図３に示される初期状態の当該ファクス送信画面２００が表示される。このプリセットプログラム呼び出しボタン６０２に対応するそれぞれの動作モードについての動作条件のデフォルト値は、たとえば前述（図７）のジョブプログラムテーブル５００とは別の不図示のプリセットテーブルに記録されている。このプリセットテーブルもまた、ジョブプログラムテーブル５００と同様、主記憶部１６ｂを構成する前述の書き換え可能な不揮発性メモリに格納されている。そして、このプリセットテーブルに記録されたデフォルト値についても、任意に変更することができるように構成されてもよい。
【００５５】
この具体例においては、保存先のリンクを送信するという詳細機能が有効化された電子メール送信モードについての動作条件の設定内容を、当該詳細機能のないファクス送信モードの操作画面であるファクス送信画面２００で呼び出す場合を説明したが、これ以外の場合も同様である。すなわち、或る詳細機能があるかどうかに拘らず、また、前述の如くジョブプログラムの登録時と呼び出し時とで動作モードが同じであるかどうかに拘らず、登録済のジョブプログラムに対応するプログラム呼び出しボタン６０４が操作されると、当該ジョブプログラムの登録時と同じ状態が再現される。
【００５６】
次に、別の具体例として、電子メール送信モードについての動作条件の或る設定内容が登録され、この設定内容が当該電子メール送信モードおよび前述のファクス送信モードとはさらに異なる共有フォルダ送信モードで呼び出される場合を、説明する。
【００５７】
電子メール送信モードの操作画面としての電子メール送信画面１００については、前述した通りであるが、共有フォルダ送信モードにおいては、その操作画面として、図９に示されるような共有フォルダ送信画面７００が、ディスプレイ２２ａに表示される。なお、図９に示される共有フォルダ送信画面７００は、当該共有フォルダ送信画面７００の初期状態を示す。
【００５８】
この共有フォルダ送信画面７００もまた、電子メール送信画面１００と同様に、帯状表示領域７１０と、主表示領域７２０と、を含む。このうちの帯状表示領域７１０の左端部分には、共有フォルダ送信画面７００のタイトルマークとしての適当なモードマーク７１２が配される。併せて、帯状表示領域７１０の右端部分には、電子メール送信画面１００（の帯状表示領域１１０）におけるのと同様のジョブ状況確認ボタン７１４が配される。
【００５９】
一方、主表示領域７２０の左上部分には、電子メール送信画面１００（の主表示領域１２０）におけるのと同様のアドレス帳ボタン７２２が配される。そして、アドレス帳ボタン７２２の右横方には、送信先（宛先）となる共有フォルダを指定するためのフィールド７２４が配される。さらに、アドレス帳ボタン７２２および送信先入力用のフィールド７２４の下方に、電子メール送信画面１００におけるのと同様のファイル名入力用のフィールド７２６が配される。
【００６０】
加えて、ファイル名入力用のフィールド７２６の下方であって、主表示領域７２０の左寄りの部分に、電子メール送信画面１００におけるのと同様の複数の設定ボタン７２８、７２８、…が縦並びに配される。これらの設定ボタン７２８、７２８、…の１つとして、電子メール送信画面１００におけるのと同様の解像度設定ボタン７２８ａが設けられる。この解像度設定ボタン７２８ａには、電子メール送信画面１００におけるのと同様に、今現在の読取解像度を表す文字列、ここでは「２００×２００ｄｐｉ」という文字列が、付される。そして、各設定ボタン７２８、７２８、…の並びの下方であって、主表示領域７２０の左下部分には、電子メール送信画面１００におけるのと同様の他の機能表示ボタン７３０が配される。また、主表示領域７２０の中央の下部に、電子メール送信画面１００におけるのと同様の表示領域７３２が配される。
【００６１】
さらに、主表示領域７２０の右上部分に、アクションパネル７３４が配される。このアクションパネル７３４内には、複数のボタン７３６、７３６、…が縦並びに配される。これらのボタン７３６、７３６、…は、共有フォルダ送信モードにより使用可能な詳細機能に対応する操作子である。これらのボタン７３６、７３６、…の１つとして、電子メール送信画面１００におけるのと同様のプログラム呼び出しボタン７３６ａが設けられる。また、アクションパネル７３４の左上部分には、当該アクションパネル７３４を開閉するためのタブ７３８が付される。
【００６２】
そして、主表示領域７２０の右下部分に、スタートボタン７４０が配される。このスタートボタン７４０は、共有フォルダ送信モードによるファイル（画像データ）の送信を開始するための操作子である。すなわち、共有フォルダ送信モードによるファイルの送信に必要な事項の設定が行われた上で、このスタートボタン７４０が操作されることにより、当該共有フォルダ送信モードによるファイルの送信が開始される。なお、主表示領域７２０および前述の帯状表示領域７１０を含む共有フォルダ送信画面７００には、これ以外にも種々のボタンなどの要素が配されるが、本発明の本旨に直接的に関係しない要素については、それらの説明を省略する。
【００６３】
ここでたとえば、図２に示される電子メール送信画面１００において、解像度設定ボタン１３０ａが操作される、とする。すると、図１０に示されるように、電子メール送信画面１００の一部を覆うように、当該電子メール送信画面１００よりも小さい小画面としての解像度設定画面８００が表示される。
【００６４】
この解像度設定画面８００は、電子メール送信モードを含め、イメージスキャナモードによる原稿の読取解像度の設定が可能な動作モードに共通の画面である。そのような動作モードとしては、電子メール送信モードの他に、後述する如く共有フォルダ送信モードなどがある。この解像度設定画面８００の上部のやや右側寄りの部分には、ドロップダウンリスト８０２が配される。このドロップダウンリスト８０２は、解像度設定画面８００による読取解像度の設定が適用される動作モードを選択するための選択用操作子である。電子メール送信画面１００における解像度設定ボタン１３０ａが操作されることにより解像度設定画面８００が表示された場合には、このドロップダウンリスト８０２は、その初期状態として、電子メール送信モード（Ｅ−ｍａｉｌ）を選択した状態にある。
【００６５】
そして、ドロップダウンリスト８０２の下方に、複数の解像度選択ボタン８０４、８０４、…が縦並びに配される。これらの解像度選択ボタン８０４、８０４、…は、イメージスキャナ機能による原稿の読取解像度を設定（選択）するための、厳密にはその操作を進めるための、操作子である。この読取解像度の設定が行われる前の初期状態においては、当該読取解像度として「２００×２００ｄｐｉ」という値が設定された状態にある。このことが直観的に把握できるように、当該「２００×２００ｄｐｉ」という読取解像度に対応する解像度選択ボタン８０４ａは、他の解像度選択ボタン８０４、８０４、…とは異なる態様で表示され、たとえば適当な色彩が付される。
【００６６】
さらに、解像度設定画面８００における右上部分に、ＯＫボタン８０６が配される。このＯＫボタン８０６は、解像度設定画面８００による読取解像度の設定を実行するための操作子である。すなわち、このＯＫボタン８０６が操作されることにより、解像度設定画面８００による読取解像度の設定が実行される。その上で、解像度設定画面８００の表示が消えて、ディスプレイ２２ａの表示状態が、図２に示される如く電子メール送信画面１００が表示された状態に遷移する。この遷移後の電子メール送信画面１００においては、解像度設定画面８００により設定された読取解像度の値が、解像度設定ボタン１３０ａに付される当該読取解像度を表す文字列に反映される。なお、図１０に示される如く解像度設定画面８００が表示された状態にあるときは、アクションパネル１３６内の各ボタン１３８、１３８、…は、イメージスキャナ機能による原稿の読取解像度以外のパラメータを設定するための、厳密にはその操作に進むための、操作子となる。
【００６７】
一方、図９に示される共有フォルダ送信画面７００において、解像度設定ボタン７２８ａが操作される、とする。この場合も、図１１に示されるように、図１０に示されるのと同様の解像度設定画面８００が、共有フォルダ送信画面７００の一部を覆うように表示される。
【００６８】
なお、共有フォルダ送信画面７００における解像度設定ボタン７２８ａが操作されることにより解像度設定画面８００が表示された場合には、ドロップダウンリスト８０２は、その初期状態として、共有フォルダ送信モードを選択した状態にある。また、この場合も、イメージスキャナ機能による原稿の読取解像度の設定が行われる前の初期状態において、当該読取解像度として、「２００×２００ｄｐｉ」という値が設定された状態にある。すなわち、「２００×２００ｄｐｉ」という読取解像度に対応する解像度選択ボタン８０４ａが、他の解像度選択ボタン８０４、８０４、…とは異なる態様で表示された状態にある。
【００６９】
さらに、解像度設定画面８００における右上部分に配されたＯＫボタン８０６が操作されると、当該解像度設定画面８００による読取解像度の設定が実行される。その上で、解像度設定画面８００の表示が消えて、ディスプレイ２２ａの表示状態が、図９に示される如く共有フォルダ送信画面７００が表示された状態に遷移する。この遷移後の共有フォルダ送信画面７００においても、解像度設定画面８００により設定された読取解像度の値が、解像度設定ボタン７２８ａに付される当該読取解像度を表す文字列に反映される。なお、図１１に示される如く解像度設定画面８００が表示された状態にあるときは、アクションパネル７３４内の各ボタン７３６、７３６、…は、イメージスキャナ機能による原稿の読取解像度以外のパラメータを設定するための、厳密にはその操作に進むための、操作子となる。
【００７０】
改めて図１０を参照して、この図１０に示される解像度設定画面８００において、「６００×６００ｄｐｉ」という解像度に対応する解像度選択ボタン８０４ｂが操作される、とする。すると、解像度設定画面８００が、図１２に示されるような態様に遷移する。すなわち、「２００×２００ｄｐｉ」という解像度に対応する解像度選択ボタン８０４ａに代わって、「６００×６００ｄｐｉ」という解像度に対応する解像度選択ボタン８０４ｂが選択された状態になる。
【００７１】
その上で、図１２に示される解像度設定画面８００において、ＯＫボタン８０６が操作される、とする。すると、解像度設定画面８００の表示が消えて、電子メール送信画面１００が、図１３に示されるような態様に遷移する。すなわち、解像度設定ボタン１３０ａに付されている原稿の読取解像度を表す文字列が、「６００×６００ｄｐｉ」となる。これにより、当該原稿の読取解像度が「６００×６００ｄｐｉ」に設定されたことが表現される。併せて、アクションパネル１３６内の前述のプログラム呼び出しボタン１３８ａに代わって、プログラム登録ボタン１３８ｄが配される。
【００７２】
この図１３に示される電子メール送信画面１００において、当該電子メール送信画面１００による設定内容を登録するべく、アクションパネル１３６内のプログラム登録ボタン１３８ｄが操作される、とする。すると、図１４に示されるように、図５に示されるのと同様のプログラム登録画面３００が、電子メール送信画面１００の一部を覆うように表示される。なお、図１４は、前述の「保存先のリンクを送信」というプログラム名が付されたジョブプログラムが既に登録済である状態を示す。
【００７３】
図１４に示されるプログラム登録画面３００において、ジョブプログラムが未登録の任意のプログラム登録ボタン３０２が操作される、たとえば「２」番というプログラム番号に対応するプログラム登録ボタン３０２ｂが操作される、とする。すると、プログラム登録画面３００に代わって、図１５に示されるように、図６に示されるのと同様のプログラム名設定画面４００が、表示される。一方、ＯＫボタン３０６が操作されると、前述の如くプログラム登録画面３００の表示が消えて、ディスプレイ２２ａの表示状態が、図１３に示される状態に戻る。
【００７４】
図１５は、プログラム名設定画面４００におけるプログラム名入力用のフィールド４０６に、「６００ｄｐｉ」という文字列が既に入力された状態を示す。このフィールド４０６への文字列の入力は、ソフトウェアキーボード４０８の操作により行われる。また前述したように、プログラム名設定画面４００の初期状態においては、当該フィールド４０６には、対応するプログラム番号を表す文字列（ここでは「０２」という文字列）が入力される。
【００７５】
この図１５に示されるプログラム名設定画面４００において、たとえばＯＫボタン４０４が操作される、とする。すると、プログラム番号が「０２」のジョブプログラムとして、図１３に示される設定内容が、対応する動作モード（電子メール送信モード）と関連付けられた状態で、登録される。すなわち、前述（図７）のジョブプログラムテーブル５００に、プログラム番号、プログラム名、動作モードおよび設定内容が、互いに関連付けられた状態で記録される。そして、プログラム名設定画面４００に代わって、前述のメッセージ画面が一定期間にわたって表示された後、ディスプレイ２２ａの表示状態が、図１３に示される状態に戻る。一方、キャンセルボタン４０２が操作されると、ジョブプログラムの登録が行われることなく、プログラム名設定画面４００の表示が消えて、ディスプレイ２２ａの表示状態が、図１３に示される状態に戻る。
【００７６】
このようにして電子メール送信モードについての「６００ｄｐｉ」というプログラム名のジョブプログラムが登録された上で、図９に示される共有フォルダ送信画面７００において、アクションパネル７３４内のプログラム呼び出しボタン７３６ａが操作される、とする。すると、図１６に示されるように、図８に示されるのと同様のプログラム呼び出し画面６００が、共有フォルダ送信画面７００の一部を覆うように表示される。なお、図１６もまた、図１４と同様、「保存先のリンクを送信」というプログラム名が付されたジョブプログラムが既に登録済である状態を示す。
【００７７】
図１６に示されるプログラム呼び出し画面６００において、登録済のジョブプログラムに対応する任意のプログラム呼び出しボタン６０４、たとえば「６００ｄｐｉ」というプログラム名が付されたジョブプログラムに対応するプログラム呼び出しボタン６０４ｂが、操作される、とする。すると、このプログラム呼び出し画面６００を含む共有フォルダ送信画面７００に代わって、図１３に示される電子メール送信画面１００が、ディスプレイ２２ａに表示される。併せて、この図１３に示される電子メール送信画面１００に従う動作モード、つまり電子メール送信モードが、設定されるとともに、当該電子メール送信画面１００に従う動作条件が設定される。すなわち、「６００ｄｐｉ」というプログラム名が付されたジョブプログラムの登録時と同じ状態が再現される。
【００７８】
これにより、ユーザは、「６００ｄｐｉ」というプログラム名が付されたジョブプログラムの内容を直観的に確認することができる。併せて、ユーザは、当該「６００ｄｐｉ」というプログラム名が付されたジョブプログラムに対応する動作モードおよび動作条件による複合機１０の使用を即座に行うことができる。
【００７９】
なお、図１６に示されるプログラム呼び出し画面６００において、「保存先のリンクを送信」というプログラム名が付されたジョブプログラムに対応するプログラム呼び出しボタン６０４ａが操作されると、前述の如く当該ジョブプログラムの登録時と同じ状態が再現される（すなわち、図４に示される電子メール送信画面１００が、ディスプレイ２２ａに表示される）。また、プリセットプログラム呼び出しボタン６０２が操作されると、共有フォルダ送信モードについての動作条件のデフォルト値が呼び出され、このデフォルト値に応じた状態が形成される。
【００８０】
この言わば第２の具体例においては、イメージスキャナモードによる原稿の読取解像度が適宜に変更されたメール送信モードについての動作条件の設定内容を、当該読取解像度を同様に変更することのできる共有フォルダ送信モードの操作画面である共有フォルダ送信画面７００で呼び出す場合について説明したが、これ以外の場合も同様である。すなわち、互いに同じパラメータを変更可能であるかに拘らず、また、前述の如くジョブプログラムの登録時と呼び出し時とで動作モードが同じであるかどうかに拘らず、登録済のジョブプログラムに対応するプログラム呼び出しボタン６０４が操作されると、当該ジョブプログラムの登録時と同じ状態が再現される。
【００８１】
ここで、図１７に、主記憶部１６ｂのＲＡＭ内の構成を概念的に表すメモリマップ９００を示す。
【００８２】
このメモリマップ９００に示されるように、ＲＡＭは、プログラム記憶領域９１０およびデータ記憶領域９５０を有する。このうちのプログラム記憶領域９１０には、前述の制御プログラムが記憶される。具体的には、制御プログラムは、表示制御プログラム９１２、操作検出プログラム９１４、画像読取プログラム９１６、画像形成プログラム９１８、通信制御プログラム９２０、設定登録プログラム９２２、設定呼び出しプログラム９２４などを含む。
【００８３】
表示制御プログラム９１２は、ディスプレイ２２ａに電子メール送信画面１００などの各種の画面を表示させるのに必要な表示画面データを生成するためのプログラムである。操作検出プログラム９１４は、タッチパネル２４ａへの操作状態を検出するためのプログラムである。画像読取プログラム９１６は、画像読取部１２を制御するためのプログラムである。画像形成プログラム９１８は、画像形成部１４を制御するためのプログラムである。通信制御プログラム９２０は、通信部２０を制御するためのプログラムである。設定登録プログラム９２２は、任意の動作モードについての動作条件の設定内容、つまりジョブプログラムを、登録する際のＣＰＵ１６ａの動作を制御するためのプログラムである。そして、設定呼び出しプログラム９２４は、ＣＰＵ１６ａに後述する設定呼び出しタスクを実行させるためのプログラムである。
【００８４】
一方、データ記憶領域９５０には、各種のデータが記憶される。この各種のデータとしては、表示画像生成データ９５２、操作データ９５４などがある。
【００８５】
表示画像生成データ９５２は、前述の表示制御プログラム９１２に基づく表示画面データの生成に用いられるポリゴンデータやテクスチャデータなどのデータである。操作データ９５４は、タッチパネル２４ａに対する操作状態を表すデータであり、詳しくは当該タッチパネル２４ａに対するユーザのタッチ位置（座標）を表す時系列のデータである。
【００８６】
前述したように、本実施例によれば、ジョブプログラムの登録時と同じ状態が再現される。これを実現するために、ＣＰＵ１６ａは、前述（図１７）の設定呼び出しプログラム９２４に従って、設定呼び出しタスクを実行する。この設定呼び出しタスクの流れを、図１８に示す。なお、ＣＰＵ１６ａは、前述（図８または図１６など）のプログラム呼び出し画面６００におけるいずれかのプログラム呼び出しボタン６０４またはプリセットプログラム呼び出しボタン６０２が操作されることに応答して、この設定呼び出しタスクを実行する。
【００８７】
この設定呼び出しタスクによれば、ＣＰＵ１６ａは、まず、ステップＳ１において、ジョブプログラムテーブル５００を参照する。そして、ＣＰＵ１６ａは、処理をステップＳ３へ進める。
【００８８】
ステップＳ３において、ＣＰＵ１６ａは、今現在設定されている動作モードと、これから再現しようとする動作モードと、を比較して、これら両者が互いに同じであるかどうかを判定する。ここでたとえば、互いの動作モードが同じである場合（Ｓ３：ＹＥＳ）、ＣＰＵ１６ａは、処理を後述するステップＳ７へ進める。一方、互いの動作モードが同じではない場合は（Ｓ３：ＮＯ）、ＣＰＵ１６ａは、処理をステップＳ５へ進める。
【００８９】
ステップＳ５において、ＣＰＵ１６ａは、ステップＳ１におけるジョブプログラムテーブル５００の参照結果に基づいて、再現しようとする動作モードを設定する。その上で、ＣＰＵ１６ａは、処理をステップＳ７へ進める。
【００９０】
ステップＳ７において、ＣＰＵ１６ａは、ステップＳ１におけるジョブプログラムテーブル５００の参照結果に基づいて、ディスプレイ２２ａに操作画面を表示させ、詳しくは前述のプログラム呼び出し画面６００の表示を消した上で、当該操作画面を表示させる。そして、ＣＰＵ１６ａは、処理をステップＳ９へ進める。
【００９１】
ステップＳ９において、ＣＰＵ１６ａは、ステップＳ１におけるジョブプログラムテーブル５００の参照結果に基づいて、再現しようとする動作条件についての設定内容を適用する。これをもって、ＣＰＵ１６ａは、一連の設定呼び出しタスクを終了する。
【００９２】
以上のように、本実施例によれば、任意の動作モードについての動作条件の設定内容をジョブプログラムとして登録しておき、これを必要なときに呼び出して、当該ジョブプログラムの登録時と同じ状態を再現することができる。このことは、複数の動作モードを有する複合機１０にとって、とりわけその操作性の向上を図るのに、極めて有益である。
【００９３】
なお、本実施例は、本発明を実現するための一具体例であり、本発明の技術的範囲を限定するものではない。すなわち、本実施例以外の局面にも、本発明を適用することができる。
【００９４】
たとえば、電子メール送信モードおよび共有フォルダ送信モードを含むイメージスキャナモードやファクス送信モードに限らず、コピーモードが用いられる場合にも、本発明を適用することができる。すなわち、コピーモードで登録されたジョブプログラムを任意の動作モードで呼び出す場合や、任意の動作モードで登録されたジョブプログラムを当該コピーモードで呼び出す場合にも、本発明を適用することができる。
【００９５】
また、操作部２４は、タッチパネル２４ａを含まなくてもよく、つまり当該操作部２４とディスプレイ２２ａを含む表示部２２とが完全に別個の構成であってもよい。
【００９６】
そして、本実施例では、複合機１０に本発明が適用される例を説明したが、これに限らない。複合機１０以外の情報処理装置にも当然に、本発明を適用することができる。
【００９７】
なお、前述の電子メール送信画面１００などの操作画面により設定された内容に基づいて、つまりユーザによる設定操作に基づいて、対応する動作モードの動作条件が設定されるが、この動作条件の設定は、ＣＰＵ１６ａが担う。このようなＣＰＵ１６ａは、本発明に係る設定手段の一例である。また、ＣＰＵ１６ａは、それぞれの操作画面をディスプレイ２２ａに表示させるが、このようなＣＰＵ１６ａは、本発明に係る第１表示制御手段の一例でもある。
【００９８】
そして、前述（図５または図１４など）のプログラム登録画面３００における操作を含むユーザによる登録操作に応答して、ジョブプログラムが前述（図７）のジョブプログラムテーブル５００に記録されるが、このジョブプログラムテーブル５００が格納された主記憶部１６ｂの書き換え可能な不揮発性メモリは、本発明に係る記憶手段の一例である。さらに、前述（図８または図１６など）のプログラム呼び出し画面６００における任意のプログラム呼び出しボタン６０４の操作を含むユーザによる呼び出し操作に応答して、ジョブプログラムが呼び出されるが、このジョブプログラムの呼び出しは、ＣＰＵ１６ａが担う。このようなＣＰＵ１６ａは、本発明に係る呼び出し手段の一例である。
【００９９】
また、プログラム呼び出し画面６００において、登録済のジョブプログラムに対応するそれぞれのプログラム呼び出しボタン６０４には、当該ジョブプログラムのプログラム名が付される。このようなプログラム呼び出しボタン６０４を含む、換言すればジョブプログラムのプログラム名の一覧を含む、プログラム呼び出し画面６００もまた、ＣＰＵ１６ａによる制御に従ってディスプレイ２２ａに表示される。このプログラム呼び出し画面６００のディスプレイ２２ａへの表示を担うＣＰＵ１６ａは、本発明に係る第２表示制御手段の一例でもある。
【符号の説明】
【０１００】
１０  …複合機
１６  …制御部
１６ａ  …ＣＰＵ
２２  …表示部
２２ａ  …ディスプレイ
２４  …操作部
２４ａ  …タッチパネル
５００  …ジョブプログラムテーブル
【図１】
2020068399.tif 000003
【図２】
2020068399.tif 000004
【図３】
2020068399.tif 000005
【図４】
2020068399.tif 000006
【図５】
2020068399.tif 000007
【図６】
2020068399.tif 000008
【図７】
2020068399.tif 000009
【図８】
2020068399.tif 000010
【図９】
2020068399.tif 000011
【図１０】
2020068399.tif 000012
【図１１】
2020068399.tif 000013
【図１２】
2020068399.tif 000014
【図１３】
2020068399.tif 000015
【図１４】
2020068399.tif 000016
【図１５】
2020068399.tif 000017
【図１６】
2020068399.tif 000018
【図１７】
2020068399.tif 000019
【図１８】
2020068399.tif 000020